(57)【要約】【課題】智およびブリッジ等の眼鏡連結部品とレンズとの取付け強度をより向上させることができると共に該眼鏡連結部品自体の強度も向上させることができる、眼鏡のレンズ取付け構造を提供する。【解決手段】眼鏡のレンズ取付け構造１０は、レンズ１２と、レンズ１２の端縁近傍でレンズ１２の一方主面側からレンズ１２の他方主面側に貫通するレンズ孔部３２と、レンズ１２の一方主面側からレンズ孔部３２に挿入されるレンズ止めねじ１６と、レンズ１２の他方主面側に配設され、レンズ止めねじ１６によりレンズ１２に連結される眼鏡連結部品としてのたとえば智１４を含み、智１４は、金属材料で形成された芯材２０と、樹脂材料で形成され、芯材２０を被覆する被覆部２２と、芯材２０に配設され、レンズ止めねじ１６に螺合可能なねじ部２６を備えた連結部２４を含む。【選択図】図２
2006178142.tif 000002
【特許請求の範囲】
【請求項１】
智およびブリッジ等の眼鏡連結部品と、レンズとを連結する眼鏡のレンズ取付け構造であって、
レンズ、
前記レンズの端縁近傍で前記レンズの一方主面側から前記レンズの他方主面側に貫通するレンズ孔部、
金属材料で形成され、前記レンズの一方主面側から前記レンズ孔部に挿入されるレンズ止めねじ、および
前記レンズの他方主面側に配設され、前記レンズ止めねじにより前記レンズに連結される眼鏡連結部品を含み、
前記眼鏡連結部品は、
金属材料で形成され、前記眼鏡連結部品の長手方向に延びて前記眼鏡連結部品に内蔵される芯材、
樹脂材料で形成され、前記芯材を被覆する被覆部、
前記芯材に配設され、前記レンズ止めねじに螺合可能なねじ部を備えた連結部を含むことを特徴とする、眼鏡のレンズ取付け構造。
【請求項２】
前記眼鏡連結部品は、その一部に係止手段により着脱自在となる分離部材を含むことを特徴とする、請求項１に記載の眼鏡のレンズ取付け構造。
【発明の詳細な説明】
【技術分野】
【０００１】
本願発明は、眼鏡のレンズ取付け構造に関し、特に、智およびブリッジ等の眼鏡連結部品と、レンズとの取付け構造を改良した、眼鏡のレンズ取付け構造に関する。
【背景技術】
【０００２】
本願発明の背景となる従来の先行技術には、たとえばレンズ周面に当接する共回り防止片を有するヨロイ部にネジ通し用貫通孔がレンズ表面穴に合う様に設けられ、後端部に鍔を有する両端部が開口されたパイプナットを、該パイプナットの鍔を嵌入する凹部が設けられたレンズ裏面穴から嵌入し、ヨロイ部のネジ通し用貫通孔の前方からネジによりパイプナットに挿入し、レンズとヨロイ部を連結したツーポイントメガネがあった（例えば、特許文献１参照）。
この従来の先行技術では、ヨロイ部が樹脂製で、ネジおよびパイプナットも樹脂製の場合、レンズと智との取付け強度が比較的弱いものであり、例えば、ネジおよびパイプナットを強く締付け過ぎるとネジの軸部が折損する恐れがあった。
一方、本願発明の背景となる従来の先行技術には、上述した先行技術の問題点を改良するために、樹脂製ヨロイ部品のレンズ止着部裏面部分に金属製のパイプナットの前端部が抜けない様に埋設され、該金属製のパイプナット後端部はレンズ表面穴から嵌入され、そして、レンズ裏面穴から金属製ネジにて、該金属製パイプナットとレンズとがネジ止めされたツーポイントメガネが提案されている（例えば、特許文献２参照）。
この従来の先行技術では、金属製ネジおよび金属製パイプナットによるネジ止め構造で樹脂製ヨロイ部品とレンズとが連結されているため、ネジおよびパイプナットが樹脂製の場合に比べて、樹脂製ヨロイ部品とレンズとの取付け強度を強くすることができる。
【０００３】
【特許文献１】登録実用新案第３０７８１６５号公報（第５頁、図１，図２）
【特許文献２】登録実用新案第３０７８１６４号公報（第５頁、図１，図２）
【発明の開示】
【発明が解決しようとする課題】
【０００４】
しかしながら、この金属製ネジおよび金属製パイプナットによるネジ止め構造を有する先行技術では、樹脂製ヨロイ部品が、レンズ止着部裏面部分に埋設された金属製パイプナットの前端部の部分を除けば、全て樹脂だけで形成されているので、強度的に弱いものとなっている。この従来の先行技術では、樹脂製ヨロイ部品に連結されるテンプルの開閉動作時に、テンプルにかかる負荷（押圧力）によって、樹脂製ヨロイ部品に曲げモーメントが作用するため、樹脂製ヨロイ部品に変形が生じる恐れがある。また、長期間使用していると、経時変化による歪み変形が樹脂製ヨロイ部品に生じ、テンプルと樹脂製ヨロイ部品との接続部にも悪影響をおよぼす恐れがある。
さらに、この従来の先行技術では、樹脂製ヨロイ部品のレンズ止着部裏面部分に金属製パイプナットが埋設されているので、金属製ネジと金属製パイプナットとの締結力が金属製パイプナットの前端部（レンズに埋設された部分）に集中する。この場合、樹脂製ヨロイ部品の先端側寄りに金属製パイプナットが埋設されているため、テンプルの開閉動作の際に樹脂製ヨロイ部品に作用する曲げモーメントも大きくなり、樹脂製ヨロイ部品にかかる歪み変形も大きくなる。
【０００５】
それゆえに、本願発明の主たる目的は、智およびブリッジ等の眼鏡連結部品とレンズとの取付け強度をより向上させることができると共に該眼鏡連結部品自体の強度も向上させることができる、眼鏡のレンズ取付け構造を提供するものである。
【課題を解決するための手段】
【０００６】
請求項１にかかる本願発明は、智およびブリッジ等の眼鏡連結部品と、レンズとを連結する眼鏡のレンズ取付け構造であって、レンズと、レンズの端縁近傍でレンズの一方主面側からレンズの他方主面側に貫通するレンズ孔部と、金属材料で形成され、レンズの一方主面側からレンズ孔部に挿入されるレンズ止めねじと、レンズの他方主面側に配設され、レンズ止めねじによりレンズに連結される眼鏡連結部品とを含み、眼鏡連結部品は、金属材料で形成され、眼鏡連結部品の長手方向に延びて眼鏡連結部品に内蔵される芯材と、樹脂材料で形成され、芯材を被覆する被覆部と、芯材に配設され、レンズ止めねじに螺合可能なねじ部を備えた連結部とを含むことを特徴とする、眼鏡のレンズ取付け構造である。
請求項２にかかる本願発明は、請求項１にかかる発明に従属する発明であって、眼鏡連結部品は、その一部に係止手段により着脱自在となる分離部材を含むことを特徴とする、眼鏡のレンズ取付け構造である。
また、請求項２にかかる本願発明の眼鏡のレンズ取付け構造において、分離部材は、文字、記号、図形、着色等の装飾表示部を含むことがより好ましい。
また、本願発明にかかる眼鏡のレンズ取付け構造において、眼鏡連結部品の連結部は、芯材からレンズの他方主面側に突出する突出片を含み、レンズの他方主面には、突出片が嵌合される嵌合穴が配設されるようにしてもよい。
さらに、本願発明にかかる眼鏡のレンズ取付け構造において、眼鏡連結部品の連結部は、芯材に配設され、レンズ止めねじに螺合可能なねじ穴を含むようにしてもよい。
さらに、本願発明にかかる眼鏡のレンズ取付け構造において、眼鏡連結部品の連結部は、芯材と一体的に形成され、その内周面にレンズ止めねじに螺合可能なねじ面を有する筒状体を含むようにすることもできる。
【０００７】
〔作用〕
請求項１にかかる本願発明では、金属材料で形成されたレンズ止めねじが、眼鏡連結部品の金属材料で形成された芯材に設けられたねじ部に螺合されることによって、レンズと眼鏡連結部品とが取付けられる。レンズ止めねじおよび芯材の双方は、金属材料で形成されているため、レンズおよび／または眼鏡連結部品が樹脂材料で形成されたものと比べて、レンズと眼鏡連結部品との取付け強度が高いものとなる。しかも、眼鏡連結部品の芯材は、眼鏡連結部品の強度を保持する骨格芯材の機能を有し、且つ、該芯材は、眼鏡連結部品の長手方向に延びて該眼鏡連結部品に内蔵されているので、該眼鏡連結部品の略全体を補強している。レンズ止めねじのねじ部と芯材に設けられた眼鏡連結部品のねじ部とが螺合された場合、その締結力が芯材全体に分散して作用するため、レンズと眼鏡連結部品との取付け強度がより一層強くすることが可能となる。すなわち、芯材およびレンズ止めねじが一体的に締結固定されるため、眼鏡連結部品全体の変形が防止される。
例えば、眼鏡連結部品が智の場合、テンプルの開閉動作により該テンプルにかかる押圧力に伴って智に作用する曲げモーメントに対抗して、智全体の変形が防止され、経時変化による智の歪み変形も防止することが可能となる。つまり、智全体の強度が向上される。また、智とテンプルとが蝶番等により連結されている場合には、該蝶番部分で智とテンプルとを分離して、適宜、智を交換することも可能となる。
一方、樹脂材料で形成された被覆部は、芯材を保護する機能を有すると共に、樹脂材料の材料的性質によって、眼鏡連結部品がレンズに取付けられた場合のレンズとの密着性も良好なものとする。
請求項２にかかる本願発明では、請求項１にかかる発明の作用に加えて、眼鏡連結部品の一部が、係止手段によって着脱自在に分離され、分離部材として別部材に形成される。つまり、眼鏡連結部品から分離部材を分離することによって、適宜、分離部材が交換可能となり、分離部材に別部材としての機能をも付与することが可能となる。
また、請求項２にかかる本願発明の眼鏡のレンズ取付け構造において、分離部材が装飾表示部を含む場合、適宜、文字、記号、図形、着色等の装飾表示部が異なる分離部材を交換可能に取付けることが可能となる。
また、本願発明にかかる眼鏡のレンズ取付け構造において、眼鏡連結部品の連結部が、芯材からレンズの他方主面側に突出する突出片を含み、突出片が嵌合される嵌合穴が、レンズの他方主面に配設される場合、眼鏡連結部品の芯材から突出する突出片がレンズの嵌合穴に嵌合されて係止され、レンズと眼鏡連結部品との密着面が増えるため、レンズと眼鏡連結部品とをより強固に取付けることが可能となる。
さらに、本願発明にかかる眼鏡のレンズ取付け構造において、眼鏡連結部品の連結部が、芯材に配設され、レンズ止めねじに螺合可能なねじ穴を含む場合、眼鏡連結部品の連結部が芯材に設けられたねじ穴で構成される。この場合、ねじ穴にレンズ止めねじのねじ部が螺合される。
さらに、本願発明にかかる眼鏡のレンズ取付け構造において、眼鏡連結部品の連結部が、芯材と一体的に形成され、その内周面にレンズ止めねじに螺合可能なねじ面を有する筒状体を含む場合、眼鏡連結部品の連結部が芯材と一体的に形成され、その内周面にねじ面を有する筒状体で構成される。この筒状体のねじ面にレンズ止めねじのねじ部が螺合される。この場合、レンズ止めねじのねじ部と筒状体のねじ面との螺合長さは、芯材にねじ穴を設けた場合に比べて長くすることが可能となるので、レンズ止めねじと芯材との締結力がより強いものとなる。
【発明の効果】
【０００８】
本願発明にかかる眼鏡のレンズ取付け構造では、智およびブリッジ等の眼鏡連結部品とレンズとの取付け強度をより向上させることができると共に該眼鏡連結部品自体の強度も向上させることができる。
【０００９】
この発明の上述の目的，その他の目的，特徴および利点は、図面を参照して行う以下の発明を実施するための最良の形態の詳細な説明から一層明らかとなろう。
【発明を実施するための最良の形態】
【００１０】
図１は、本願発明にかかる眼鏡のレンズ取付け構造の一例を示す要部斜視図であり、図２は、図１に示す眼鏡のレンズ取付け構造の要部拡大断面図であり、図３は、図２の分解図である。以下に示す実施例では、本願発明にかかる眼鏡のレンズ取付け構造を縁なし眼鏡のレンズと、眼鏡連結部品としてのたとえば智との取付け構造の一例について説明する。
眼鏡のレンズ取付け構造１０は、左右一対の２枚のレンズ１２を含む。レンズ１２には、樹脂材料で形成された、所謂、プラスチックレンズ等が用いられる。レンズ１２は、眼鏡のフロント（図示せず）に配置され、フロント（図示せず）は、智１４およびブリッジ（図示せず）を含む。一対のレンズ１２は、フロント（図示せず）の長手方向の両側の智１４と、フロント（図示せず）の長手方向の中間部のブリッジ（図示せず）とに取付けられる。ブリッジ（図示せず）および智１４は、それぞれ、主として、レンズ止めねじ１６により、レンズ１２に連結される。この場合、レンズ１２の一方主面側にレンズ止めねじ１６が配置され、レンズ１２の他方主面側に智１４が配置されている。また、智１４には、ヒンジ部Ｈを介して、たとえば樹脂製のテンプルＴが回動自在に連結される。
【００１１】
智１４は、例えば、その一部がテンプル側Ｔに屈曲している半曲げ智本体１８を含む。この半曲げ智本体１８は、金属材料で形成された芯材２０と、芯材２０を被覆する樹脂材料で形成された被覆部２２とを含む。芯材２０は、たとえばＬ字状に形成され、半曲げ智本体１８の長手方向に延びるようにして、半曲げ智本体１８に内蔵されている。この場合、芯材２０は、半曲げ智本体１８の全体形状に略対応する相似形に形成され、樹脂材料で形成された半曲げ智１８に内蔵されている。
【００１２】
さらに、智１４は、レンズ止めねじ１６が連結される連結部２４を有する。連結部２４は、芯材２０に配設され、レンズ止めねじ１６のねじ面１６ａが挿入されるねじ部２６、および、被覆部２２に配設され、ねじ部２６に連通する挿通孔２８を含む。ねじ部２６は、レンズ止めねじ１６のねじ面１６ａのねじ面１６ａと螺合可能なねじ穴で構成されている。また、芯材２０の長手方向の先端側には、該芯材２０からレンズ１２の他方主面側に突出する突出片３０が配設されている。突出片３０は、たとえば金属材料で形成されたピンで構成され、芯材２０と一体的に形成されている。
【００１３】
一方、レンズ１２は、その長手方向の一端縁および他端縁の近傍に、たとえば断面円形のレンズ孔部３２を有する。レンズ孔部３２は、レンズ１２の一方主面から他方主面にかけて貫通している。レンズ孔部３２の軸線方向の一方側（レンズ１２の一方主面側）には、座ぐり部３２ａが配設されている。座ぐり部３２ａは、レンズ孔部３２にレンズ止めねじ１６を挿通させたときに、座金３４と共に該レンズ止めねじ１６の頭部１６ｂが収容される部位である。
また、レンズ１２には、上述の突出片３０が嵌合される嵌合穴３６が配設されている。嵌合穴３６は、レンズ１２の他方主面から一方主面側へ所定の深さ分だけ略垂直に延び設けられている。この嵌合穴３６の深さは、突出片３０が被覆部２２から突出した長さ分と略同じに形成されている。
【００１４】
図１〜図３に示した実施例にかかる眼鏡のレンズ取付け構造１０では、金属材料で形成されたレンズ止めねじ１６と、金属材料で形成された芯材２０のねじ部２６とが螺合されることにより、レンズ１２と智１４とが取付けられる。レンズ止めねじ１６と芯材２０の双方が金属材料で形成されているので、レンズ１２および／または智１４が樹脂材料で形成された場合と比べ、レンズ１２と智１４との取付け強度が強いものとなる。
その上、智１４の芯材２０は、智１４の強度を保持すると共に、芯材２０は、智１４の長手方向に延びて智１４に内蔵されているため、智１４の略全体が補強される。レンズ止めねじ１６のねじ部１６ａと芯材２０のねじ部２６とが螺合された際の締結力は、芯材２０全体に分散して作用する。そのため、レンズ１２と智１４との取付け強度がより一層強くすることができる。つまり、芯材２０とレンズ止めねじ１６とが一体的に締結固定されるので、智１４全体の強度が向上され、智１４全体の変形が防止される。
【００１５】
この場合、たとえばテンプルＴの開閉動作によりテンプルＴにかかる押圧力に伴って智１４に曲げモーメントが作用しても、曲げモーメントに対抗することができるので、智１４全体の変形を防止することができる。また、経時変化による智１４の歪み変形も防止することができる。さらに、智１４とテンプルとはヒンジ部Ｈにより連結されているので、ヒンジ部Ｈ部分で智１４とテンプルＴとを分離して、適宜、智１４を交換することもできる。一方では、樹脂材料で形成された被覆部２２は、芯材２０を保護し、且つ、樹脂材料の材料的特質により、智１４がレンズ１２に取付けられた場合のレンズ１２との密着性も良好なものとなる。また、芯材２０の突出片３０がレンズ１２の嵌合穴３６に嵌合されて係止されるため、レンズ１２と智１４との密着面が増加し、レンズ１２と智１４とをより強固に取付けることができる。
【００１６】
図４は、本願発明にかかる眼鏡のレンズ取付け構造の他の例を示す要部拡大断面図であり、図５は、図４の分解図であり、図６は、図４および図５に示す眼鏡のレンズ取付け構造の要部拡大分解斜視図である。図４〜図６に示す眼鏡のレンズ取付け構造は、図１〜図３に示す実施例と比べて、特に、智１４の一部に着脱自在の分離部材４０が配設されている点で相違する。すなわち、本実施例では、半曲げ智本体１８の長辺部の前面部に、分離部材４０が配設される。分離部材４０は、たとえば横長矩形状に形成され、半曲げ智１８の長辺部の長さと略同じ長さを有する。また、分離部材４０は、その内側に、芯材２０の長辺部をカバーするように、該芯材２０の長辺部の形状に近似の嵌合凹部４２を有している。分離部材４０は、係止手段４４により半曲げ智本体１８の長辺部に着脱自在に取付けられる。
係止手段４４は、たとえばあり溝で形成された凹形片と、ありで形成された凸形片が一対になったあり継手で構成されている。この場合、分離部材４０の長手方向の一端側および他端側に、それぞれ、鳩尾状の凸形片４６が配設され、該凸形片４６が嵌合される鳩尾状の凹形片４８が、半曲げ智本体１８の長辺部の前面部両側に配設されている。
【００１７】
図４〜図６に示す実施例では、図１〜図３に示した実施例の作用に加えて、智１４の一部である分離部材４０が、係止手段４４によって着脱自在に分離することができるので、該分離部材４０を適宜交換することが可能となる。さらに、分離部材４０が着脱自在に智１４の長辺部の前面部に配置されているため、分離部材４０に別部材としての機能をも付与することが可能となる。すなわち、分離部材４０に文字、記号、図形、着色等の装飾表示部を付与することもできる。この場合、たとえば装飾表示部の種類が異なる多数の分離部材４０を用意することによって、それらの分離部材４０を眼鏡の使用者の好みに応じて、適宜、交換可能となる。なお、分離部材４０をたとえば透光性を有する樹脂材料で形成し、芯材２０が前から見えるようにしてもよい。
【００１８】
図７は、本願発明にかかる眼鏡のレンズ取付け構造のさらに他の例を示す要部拡大断面図であり、図８は、図７の分解図である。図７および図８に示す実施例では、先に説明した各実施例と比べて、特に、レンズ止めねじ１６が連結される連結部２４が芯材２０と一体的に形成され、その内周面にねじ面を有する筒状体５０で構成される点で相違している。すなわち、筒状体５０は、たとえば円筒状に形成され、筒状体５０の内周面には、レンズ止めねじ１６のねじ部１６ａと螺合可能なねじ面５０ａが形成されている。この実施例では、レンズ止めねじ１６のねじ部１６ａと筒状体５０のねじ面５０ａとの螺合長さを、芯材２０にねじ穴（ねじ部２６）を設けた場合に比べて長くすることができるので、レンズ止めねじ１６と芯材２０との締結力がより一層強固なものとなる。
【００１９】
図９は、本願発明にかかる眼鏡のレンズ取付け構造のさらに他の例を示す要部拡大断面図であり、図１０は、図９の分解図である。図９および図１０に示す実施例では、特に、図７および図８に示す実施例と比べて、筒状体５２が芯材２０とは別個に別体として形成され、該筒状体５２の内周面および外周面にねじ面を有する点で相違している。すなわち、筒状体５２の内周面には、レンズ止めねじ１６のねじ部１６ａに螺合されるねじ面５２ａが形成され、筒状体５２の外周面には、レンズ１２に設けたねじ孔５４および智１４に設けたねじ穴５６に螺合されるねじ面（図示せず）が形成されている。この実施例でも、図９および図１０に示した実施例と同様に、レンズ止めねじ１６のねじ部１６ａと筒状体５２のねじ面５２ａとの螺合長さを、芯材２０にねじ穴（ねじ部２６）を設けた場合に比べて長くすることができるので、レンズ止めねじ１６と芯材２０との締結力がより強いものとなる。
【００２０】
図１１は、本願発明にかかる眼鏡のレンズ取付け構造のさらに他の例を示す要部拡大断面図である。図１１に示す実施例では、たとえば図１〜図３に示した実施例と比べて、特に、突出片３０が複数形成されている点、分離部材４０が形成されている点で相違している。すなわち、この実施例では、芯材２０の長手方向の先端側に配設された突出片３０と所定の間隔を隔てて、他の突出片３０が配設され、レンズ１２には、該突出片３０が嵌合される嵌合穴３６が配設されている。この場合、智１４には、２つの突出片３０の間に、レンズ止めねじ１６が連結される連結部２４が配設されている。そして、智１４の一部が、係止手段４４によって着脱自在に分離され、分離部材４０として形成されている。
図１１の実施例では、突出片３０が２つ設けられているので、その分、レンズ１２と智１４とのガタツキをより一層防止することができる。
【００２１】
なお、上述の各実施例において、レンズ止めねじ１６の頭部１６ａがレンズ孔部３２の座ぐり部３２ａに収納されるので、レンズ１２の一方主面側にはレンズ止めねじ１６が突出することがない。そのため、眼鏡を掛けているときの安全性が脅かされることがなく、レンズ１２の一方主面を清掃用布等で拭くときにも拭きやすいものとなる。
さらに、上述した各実施例では、眼鏡連結部品としてのたとえば智１４とレンズ１２との取付け構造について説明したが、本願発明にかかる眼鏡のレンズ取付け構造は、智以外の眼鏡連結部品として、たとえばブリッジにも同様に適用され得るものである。
【産業上の利用可能性】
【００２２】
本願発明にかかる眼鏡のレンズ取付け構造は、特に、たとえば縁なし眼鏡におけるレンズと、智および／またはブリッジとの取付け構造に用いられて好適なものである。
【図面の簡単な説明】
【００２３】
【図１】本願発明にかかる眼鏡のレンズ取付け構造の一例を示す要部斜視図である。
【図２】図１に示す眼鏡のレンズ取付け構造の要部拡大断面図である。
【図３】図２の分解図である。
【図４】本願発明にかかる眼鏡のレンズ取付け構造の他の例を示す要部拡大断面図である。
【図５】図４の分解図である。
【図６】図４および図５に示す眼鏡のレンズ取付け構造の要部拡大分解斜視図である。
【図７】本願発明にかかる眼鏡のレンズ取付け構造のさらに他の例を示す要部拡大断面図である。
【図８】図７の分解図である。
【図９】本願発明にかかる眼鏡のレンズ取付け構造のさらに他の例を示す要部拡大断面図である。
【図１０】図９の分解図である。
【図１１】本願発明にかかる眼鏡のレンズ取付け構造のさらに他の例を示す要部拡大断面図である。
【符号の説明】
【００２４】
１０  眼鏡のレンズ取付け構造
１２  レンズ
１４  智
１６  レンズ止めねじ
１６ａ  頭部
１６ｂ  ねじ面
１８  半曲げ智本体
２０  芯材
２４  連結部
２６  ねじ部
２８  挿通孔
３０  突出片
３２  レンズ孔部
３２ａ  座ぐり部
３４  座金
３６  嵌合穴
４０  分離部材
４２  嵌合凹部
４４  係止手段
４６  凸形片
４８  凹形片
５０，５２  筒状体
５０ａ，５２ａ  ねじ面
Ｈ  ヒンジ部
Ｔ  テンプル
【図１】
2006178142.tif 000003
【図２】
2006178142.tif 000004
【図３】
2006178142.tif 000005
【図４】
2006178142.tif 000006
【図５】
2006178142.tif 000007
【図６】
2006178142.tif 000008
【図７】
2006178142.tif 000009
【図８】
2006178142.tif 000010
【図９】
2006178142.tif 000011
【図１０】
2006178142.tif 000012
【図１１】
2006178142.tif 000013